(57)【要約】【課題】  建設現場での工事を最少限にして工期の短縮、工費の節減を図りつつ、狭小地でも十分に大きな居住空間を確保でき、しかも、敷地形態等にかかわらず優れた採光性、通風性を確保して居住性アップが図れるようにする。【解決手段】  複数の芯材鉄骨４の外側に金属外板５を固定してなる壁構造体６Ｗ、天井構造体６Ｃ及び床構造体６Ｆを組立てて短辺方向で断面ロ型のラーメン構造に構成された既製の金属製地下ユニット１を地下躯体として構築される居室用地下室Ｕにおいて、既製の金属製地下ユニット１における壁構造体６Ｗの地盤面ＧＬよりも上方に突出する部分に、該金属製地下ユニット１の工場製作時に予め採光・通風用開口部８を設けている。【選択図】      図２
2005226429.tif 000002
【特許請求の範囲】
【請求項１】
地下躯体をその天井面が地盤面からの高さ１ｍ以下で、かつ、天井高の３分の１以上が地盤面下に位置するように埋設して構築される居室用半地下室であって、
前記地下躯体が、複数の芯材鉄骨の外側に金属外板を固定してなる壁構造体と天井構造体並びに床構造体を組立てて短辺方向で断面ロ型のラーメン構造に構成された既製の金属製地下ユニットの一つまたは建設現場で接合された複数のものからなり、この既製の金属製地下ユニットにおける少なくとも一つの壁構造体の地盤面よりも上方部分には、該金属製地下ユニットの工場製作時に予め採光・通風用開口部が設けられていることを特徴とする居室用半地下室。
【請求項２】
前記既製の金属製地下ユニットにおける壁構造体の少なくとも地中埋設部で採光・通風用開口部を除く箇所の外側全域には、建設現場でのコンクリート打設によりコンクリート壁が形成されている請求項１に記載の居室用半地下室。
【請求項３】
前記既製の金属製地下ユニットにおける採光・通風用開口部の内側には、避難用装置が常設されている請求項１または２に記載の居室用半地下室。
【発明の詳細な説明】
【技術分野】
【０００１】  本発明は、容積率不算入の地下室、詳しくは、地下躯体をその天井面が地盤面からの高さ１ｍ以下で、かつ、天井高の３分の１以上が地盤面下に位置するように埋設して構築される居室用半地下室に関するものである。
【背景技術】
【０００２】  この種の居室用半地下室においては、地下躯体をその天井面が地盤面からの高さ１ｍ以下で、かつ、天井高の３分の１以上が地盤面下に位置するように埋設して構築されているため、容積率不算入の規定（建築基準法等による規定）の恩恵が受けられて収納のためにのみ使用可能な地下収納室でなく、狭い敷地内で生活空間の拡大が図れる居室を目的としての使用も可能なものである。【０００３】  ところで、この種の居室用半地下室として、従来一般的には、建設現場の地下室構築予定箇所の周囲に仮枠を組立て、その仮枠にコンクリートを打設してコンクリート造りあるいは鉄骨造りの地下躯体を作製するといったように、全て現場施工方式での構築手段が採用されていた。また、居室を目的とすることから、その居住性アップのためには欠くことのできない採光性、通風性の確保、さらには、通常の出入口以外の緊急避難経路を確保するために、ドライエリアを作ったり、地盤面レベルに高低差があるような敷地の場合はその地盤面レベル差を利用して窓などの採光・通風用開口部を設けたりする手段が採られていた（例えば、非特許文献１参照）。【０００４】
【非特許文献１】「ｃｏｎｆｏｒｔ」、Ｎｏ．４３創刊１０周年記念号、株式会社建築資料研究社、２０００．８月発行、ｐ４９−５２
【発明の開示】
【発明が解決しようとする課題】
【０００５】  しかし、従来一般的に採用されていたコンクリート造りあるいは鉄骨造りの地下躯体を用いた半地下室の場合は、コンクリート打設や鉄骨の建て方工事等の全ての工事を建設現場で行わなければならないために、工期が長くかかり、それだけ工費が嵩むだけでなく、多くの資材等を建設現場で保管管理しておくためのスペースも必要であって、都市部に多くみられる狭小地等では地下に確保可能な居住空間の大きさにも自ずと制約がある。また、採光性、通風性等の確保のためにドライエリアを作るとなると、益々工費が嵩むとともにドライエリアの占める空間分だけ有効居住空間が狭められるという問題がある。さらに、地盤面レベル差を利用して窓等の採光・通風用開口部を設ける場合は、居住性アップの手段として有効ではあるものの、そのような手段が適用可能な形態の敷地は非常に少なく、多くの敷地では採用することができないという問題があった。【０００６】  本発明は上記実情に鑑みてなされたもので、建設現場での工事を最少限に止めて工期の短縮、工費の節減を図りつつ、狭小地においても十分に大きな居住空間を確保でき、しかも、敷地形態等にかかわらず優れた採光性、通風性を確保して居住性アップを経済的に達成することができる居室用半地下室を提供することを目的としている。
【課題を解決するための手段】
【０００７】  上記目的を達成するために、本発明に係る居室用半地下室は、地下躯体をその天井面が地盤面からの高さ１ｍ以下で、かつ、天井高の３分の１以上が地盤面下に位置するように埋設して構築される居室用半地下室であって、前記地下躯体が、複数の芯材鉄骨の外側に金属外板を固定してなる壁構造体と天井構造体並びに床構造体を組立てて短辺方向で断面ロ型のラーメン構造に構成された既製の金属製地下ユニットの一つまたは建設現場で接合された複数のものからなり、この既製の金属製地下ユニットにおける少なくとも一つの壁構造体の地盤面よりも上方部分には、該金属製地下ユニットの工場製作時に予め採光・通風用開口部が設けられていることを特徴としている。
【発明の効果】
【０００８】  上記のような特徴構成を有する本発明の居室用半地下室によれば、狭い敷地内で生活空間の拡大が図れる居室を目的として使用可能であるように、天井面が地盤面からの高さ１ｍ以下で、かつ、天井高の３分の１以上が地盤面下に位置するように埋設される地下躯体として、鉄骨及び金属外板を用いた壁構造体と天井構造体並びに床構造体を工場製作の段階で組立てて短辺方向で断面ロ型のラーメン構造に構成された既製の金属製地下ユニットを用いるものであるから、コンクリート打設や鉄骨の建て方工事等の全ての工事を建設現場で行なうコンクリート造りあるいは鉄骨造りの地下躯体を用いる従来のものに比べて、建設現場での工事を非常に少なく、かつ、単純化して工期の短縮、工費の節減が図れるのみならず、資材等の保管管理のための余分なスペースも不要で、都市部に多くみられる狭小地等であっても十分に大きい居住空間をもつ地下室を構築することができる。また、構築された地下室の躯体が短辺方向で断面ロ型のラーメン構造で、長辺方向には耐震壁構造という構造安全性に優れたものであるので、埋設状態で地下躯体に加わる土圧や水圧にも十分に耐応する高強度の半地下室が得られる。【０００９】  その上、既製の金属製地下ユニットの工場製作時に、埋設状態で地盤面よりも上方に突出する壁構造体部分に予め採光・通風用開口部が設けられているので、どのような形態の敷地であっても、その既製の金属製地下ユニットを所定どおりの深さに埋設するだけで、採光性、通風性、さらには、通常の出入口以外の緊急避難経路を容易に確保することができ、ドライエリアを作る場合のような工費の増大、有効居住空間の縮小化等の問題を生じることなく、地下居室として使用する際の居住性を経済的にアップすることができる。加えて、採光・通風用開口部の設置に伴い、地下ユニット自身の埋設深さ、ひいては掘削深さが小さくなるため、掘削等の現場工事費用の低減も図ることができるという効果を奏する。【００１０】  上記構成の居室用半地下室において、金属材料からなる地下ユニットの防錆、防食対策として、地下ユニットの工場製作段階で厚膜型の塗膜を形成してもよいが、特に、請求項２に記載のように、前記既製の金属製地下ユニットにおける壁構造体の少なくとも地中埋設部で採光・通風用開口部を除く箇所の外側全域に、建設現場でのコンクリート打設によりコンクリート壁を形成する手段を採用することにより、厚膜型の防錆防食塗膜を形成する場合のような高価な特殊塗料の使用が不要であることと、均一厚さの塗膜形成のための塗装作業に高度な技術及び多大な手間を要しないことによって、地下ユニットの製作費低減を図りつつ、建設現場での極く簡単なコンクリート打設作業を行うだけで優れた防錆・防食性能を確保して地下室の耐久性向上を図ることができる。【００１１】  また、請求項３に記載のように、前記既製の金属製地下ユニットにおける採光・通風用開口部の内側に、例えば脱出用の階段やタラップ、梯子、踏み台等の避難用装置を常設することによって、地下室への通常の出入口以外に、採光・通風用開口部を緊急避難経路として確保することができ、居室用半地下室としての使用における安全性確保も完全なものとすることができる。
【発明を実施するための最良の形態】
【００１２】  以下、本発明の実施の形態を図面にもとづいて説明する。
図１は本発明に係る居室用半地下室をそれの構築完成状態で示す概略側面図、図２は図１のＸ−Ｘ線に沿った縦断正面図であり、この居室用半地下室Ｕは、工場において寸法や形状などを標準化して同一仕様、同一構造に製作され、トラック等によって建設現場に搬入された複数（図面上では３つで示すが、２つ以上であればよい）の地下躯体となる既製の金属製（鋼製）地下ユニット１を、建設現場に形成した地下掘削穴底部のコンクリート基礎２上に列状に並べて載置固定するとともに、それぞれ隣接する鋼製地下ユニット１，１同士を相互に水密接合し、また、列方向の両端部にはそれぞれ妻壁３，３を固定接合したうえで、各鋼製地下ユニット１における天井面１Ｃの地盤面ＧＬからの高さｈが１ｍ以下で、かつ、床面１Ｆから地盤面ＧＬまでの高さｈ１が天井高Ｈの３分の１以上、即ち、天井高Ｈの３分の１（Ｈ／３）以上が地盤面ＧＬ下に位置するように埋設することにより構築されている。なお、実際的には、Ｈ＝２ｍ８０ｃｍ、ｈ＝１ｍ、ｈ１＝１ｍ８０ｃｍに設定されている。【００１３】  そして、前記各鋼製地下ユニット１における左右の壁構造体６Ｗ，６Ｗに設けられた後述する採光・通風用開口部８を除く外表面及び妻壁３，３の外表面にはそれぞれ、建設現場でのコンクリート打設により防錆防食用のコンクリート壁７，７が形成されている。なお、この防錆防食用のコンクリート壁７，７に代えて、ユニット１の工場製作段階で前記各外表面に防錆防食用の厚膜型塗膜を形成してもよい。【００１４】  かかる居室用半地下室Ｕにおける地下躯体を構成するところの前記複数の鋼製地下ユニット１はそれぞれ、図３に明示するように、適当ピッチに配置されたチャンネル鋼等の芯材鉄骨４の外側フランジ部４ａに薄肉鋼板等の金属外板５を固定してなる左右の壁構造体６Ｗと天井構造体６Ｃ並びに床構造体６Ｆを組立てることにより、短辺方向で断面ロ型のラーメン構造に構成されている。なお、前記妻壁３，３も、各構造体６Ｗ，６Ｃ，６Ｆと同様に、適当ピッチに配置されたチャンネル鋼等の芯材鉄骨４の外側に鋼板等の金属外板５を固定して構成されている。【００１５】  上記のように構築される居室用半地下室Ｕにおいて、前記各鋼製地下ユニット１における左右の壁構造体６Ｗ，６Ｗの左右いずれか一方（図面上では左右両方で示す）で埋設状態で地盤面ＧＬの上方へ突出する部分には、窓枠８ａとガラス窓８ｂとからなる採光・通風用開口部８が鋼製地下ユニット１の工場製作時に予め設けられている。具体的には、上下幅ｗ４０ｃｍの窓枠８ａを鋼製地下ユニット１における天井面１Ｃからの高さｗ１及び地盤面ＧＬからの高さｗ２が共に２０ｃｍとなる位置に固定され、この窓枠８ａにガラス窓８ｂが嵌め殺し式あるいは差し違い開閉式に嵌合されている。【００１６】  また、前記採光・通風用開口部８の内側には、図示省略するが、例えば脱出用の階段やタラップ、梯子、踏み台等の避難用装置が常設されており、緊急時にはその避難用装置を用いて前記開口部８から脱出避難できるようにして安全性確保を図っている。【００１７】  以上のように居住用地下室Ｕの地下躯体として、芯材鉄骨４及び金属外板５を用いた壁構造体６Ｗ，６Ｗと天井構造体６Ｃ並びに床構造体６Ｆ��工場製作の段階で組立てて短辺方向で断面ロ型のラーメン構造に構成された既製の金属製地下ユニット１を用いることにより、コンクリート造りあるいは鉄骨造りの地下躯体を用いる従来のものに比べて、建設現場での工事を非常に合理化、単純化して工期の短縮、工費の節減が図れるのみならず、資材等の保管管理のための余分なスペースも不要で、都市部に多くみられる狭小地等であっても十分に大きい居住空間をもち、かつ、埋設状態で地下躯体に加わる土圧や水圧にも十分に耐応する高強度で構造安全性に優れた半地下室Ｕが得られる。【００１８】  その上、既製の金属製地下ユニット１の工場製作時に、埋設状態で地盤面ＧＬよりも上方に突出する壁構造体６Ｗ部分に予め採光・通風用開口部８が設けられているので、どのような形態の敷地であっても、その既製の金属製地下ユニット１を所定どおりの深さに埋設するだけで、採光性、通風性、さらには、通常の出入口以外の緊急避難経路を容易に確保することができ、採光、通風のためにドライエリアを作る場合に比べて、工費の減少、有効居住空間の拡大等が図れて地下居室として使用する際の居住性アップを経済的に達成することができる。また、採光・通風用開口部８を設けたことで、地下ユニット１自身の埋設深さ、ひいては、掘削深さを小さくすることが可能となり、掘削等の現場工事費用の低減も図ることができる。【００１９】  なお、上記実施の形態では、採光・通風用開口部８として、嵌め殺し式あるいは差し違い開閉式のガラス窓を使用したが、鋼製地下ユニット１における左右の壁構造体６Ｗ，６Ｗの左右いずれか一方で埋設状態で地盤面ＧＬの上方へ突出する部分に、その上方への突出部分のほぼ一杯の高さ（約１ｍ程度）のガラス窓付き避難ドアを設けてもよい。【００２０】  また、上記実施の形態では、複数の鋼製地下ユニット１をコンクリート基礎２上に列状に並べて載置固定するとともに、列方向の両端に妻壁３，３を固定接合することにより地下躯体を構成したが、四つの壁構造体６Ｗと一つの天井構造体６Ｃ及び床構造体６Ｆの組立てによりボックス形に構成された単一の鋼製地下ユニットを地下躯体として用いるものであってもよい。
【図面の簡単な説明】
【００２１】
【図１】本発明に係る居室用半地下室を、それの構築完成状態で示す概略側面図である。
【図２】図１のＸ−Ｘ線に沿った縦断正面図である。
【図３】鋼製地下ユニットにおける壁、天井及び床構造体並びに妻壁の構成を示す要部の拡大断面図である。
【符号の説明】
【００２２】  １  鋼製（金属製）地下ユニット
４  芯材鉄骨
５  金属外板
６Ｗ  壁構造体
６Ｃ  天井構造体
６Ｆ  床構造体
７  コンクリート壁
８  採光・通風用開口部
Ｕ  居室用半地下室
【図１】
2005226429.tif 000003
【図２】
2005226429.tif 000004
【図３】
2005226429.tif 000005